(57)【要約】【課題】複合式マルチ型簡易転換プラグ及びそれを備える転換接続ヘッドを提供する。【解決手段】主に絶縁ハウジング、第一及び第二挿入接続部品、プラグを含む。該絶縁ハウジングは２本の側面アームを備え、第一可動接続部を設置可能である。該第一及び第二挿入接続部品は該絶縁ハウジングに対応して結合し、相互に電気的に連通する。該プラグは可動状態で該絶縁ハウジングと組合せ接続し、該第二挿入接続部品と相互に対応接続する第三挿入接続部品を設置し、該プラグ側縁にはスライド移動槽を形成可能で、第一可動接続部に対応する。該絶縁ハウジングは該第一及び第二挿入接続部品と転換接続ヘッドを形成し、プラグの不使用時には移動可能で、様々な方向へと回転移動することができる。該転換接続ヘッドは重複組合せ接続しマルチ型転換プラグを形成可能で、異なる規格、型式のコンセントに対応することができる。【選択図】図１
0003134069.tif 000002
【実用新案登録請求の範囲】
【請求項１】
主に絶縁ハウジング、第一及び第二挿入接続部品、プラグを含み、
該絶縁ハウジングは２本の側面アームを備え、
該第一及び第二挿入接続部品は該絶縁ハウジング中にそれぞれ相対し結合し、しかも相互に電気的に連通し、
該プラグは可動状態で該絶縁ハウジングと組合せ接続し、可動状態で該２本の側面アームの間に位置し、しかも前端には該第二挿入接続部品と相互に対応接続する第三挿入接続部品を設置することを特徴とする複合式マルチ型簡易転換プラグ。
【請求項２】
前記絶縁ハウジング側縁は内側に向かいスライド槽を陥没設置することを特徴とする請求項１記載の複合式マルチ型簡易転換プラグ。
【請求項３】
前記２本の側面アームは第一可動接続部を設置し、該プラグ側縁は内側に向かいスライド移動槽を陥没形成し、該第一可動接続部に対応することを特徴とする請求項１記載の複合式マルチ型簡易転換プラグ。
【請求項４】
前記２本の側面アームはスライド移動槽を設置し、該プラグ側縁には第一可動接続部を設置し、該スライド移動槽に対応することを特徴とする請求項１記載の複合式マルチ型簡易転換プラグ。
【請求項５】
前記第一可動接続部は凸柱で、しかも該スライド移動槽内に対応し収容設置することを特徴とする請求項３或いは４記載の複合式マルチ型簡易転換プラグ。
【請求項６】
前記スライド移動槽内にはさらに移動可能なスライド移動ブロックを収容設置し、該スライド移動ブロックは該第一可動接続部と相互に対応し可動接続する第二可動接続部を設置することを特徴とする請求項３或いは４記載の複合式マルチ型簡易転換プラグ。
【請求項７】
前記プラグ後端にはさらに第四挿入接続部品を設置することを特徴とする請求項１記載の複合式マルチ型簡易転換プラグ。
【請求項８】
前記第三挿入接続部品はＵＳＢコネクター或いはＭｉｎｉ  ＵＳＢコネクターであることを特徴とする請求項１記載の複合式マルチ型簡易転換プラグ。
【請求項９】
前記第三挿入接続部品は数本の導電ピンであることを特徴とする請求項１記載の複合式マルチ型簡易転換プラグ。
【請求項１０】
主に絶縁ハウジング、第一及び第二挿入接続部品、プラグを含み、
該絶縁ハウジングは２本の側面アームを備え、
該第一及び第二挿入接続部品は該絶縁ハウジング中にそれぞれ相対し結合し、しかも相互に電気的に連通し、
該プラグは可動状態で該絶縁ハウジングと組合せ接続し、可動状態で該２本の側面アームの間に位置し、しかも該プラグと該第二挿入接続部品は電気的連通を達成することを特徴とする複合式マルチ型簡易転換プラグ。
【請求項１１】
前記絶縁ハウジング側縁は内側に向かいスライド槽を陥没設置することを特徴とする請求項１０記載の複合式マルチ型簡易転換プラグ。
【請求項１２】
前記２本の側面アームは第一可動接続部を設置し、該プラグ側縁は内側に向かいスライド移動槽を陥没形成し、該第一可動接続部に対応することを特徴とする請求項１０記載の複合式マルチ型簡易転換プラグ。
【請求項１３】
前記２本の側面アームはスライド移動槽を設置し、該プラグ側縁には第一可動接続部を設置し、該スライド移動槽に対応することを特徴とする請求項１０記載の複合式マルチ型簡易転換プラグ。
【請求項１４】
前記第一可動接続部は凸柱で、しかも該スライド移動槽内に対応し収容設置することを特徴とする請求項１２或いは１３記載の複合式マルチ型簡易転換プラグ。
【請求項１５】
前記スライド移動槽内にはさらに移動可能なスライド移動ブロックを収容設置し、該スライド移動ブロックは該第一可動接続部と相互に対応し可動接続する第二可動接続部を設置することを特徴とする請求項１２或いは１３記載の複合式マルチ型簡易転換プラグ。
【請求項１６】
前記プラグはＲＪ−４５で、該第二挿入接続部品は相互に対応接続するＲＪ−４５コンセントであることを特徴とする請求項１０記載の複合式マルチ型簡易転換プラグ。
【請求項１７】
主に絶縁ハウジング、第一及び第二挿入接続部品を含み、
該絶縁ハウジングは２本の側面アームを備え、
該第一及び第二挿入接続部品は該絶縁ハウジング中にそれぞれ相対し結合し、しかも相互に電気的に連通することを特徴とする複合式マルチ型簡易転換プラグを備える転換接続ヘッド。
【請求項１８】
前記絶縁ハウジング側縁は内側に向かいスライド槽を陥没設置することを特徴とする請求項１７記載の複合式マルチ型簡易転換プラグを備える転換接続ヘッド。
【請求項１９】
前記２本の側面アームは可動接続部を設置することを特徴とする請求項１７記載の複合式マルチ型簡易転換プラグを備える転換接続ヘッド。
【請求項２０】
前記２本の側面アームにはスライド移動槽を設置することを特徴とする請求項１７記載の複合式マルチ型簡易転換プラグを備える転換接続ヘッド。
【考案の詳細な説明】
【技術分野】
【０００１】
本考案は一種の複合式簡易転換プラグに関する。特に一種の転換接続機能を備える転換接続ヘッド、及び可動状態で転換接続ヘッドに組合せ接続する信号／電源プラグで、該転換接続ヘッドは重複組合せ接続が可能で、異なる規格、型式のコンセントへの対応を提供することができる複合式マルチ型簡易転換プラグ及びそれを備える転換接続ヘッドに係る。
【背景技術】
【０００２】
公知の信号線が電子装置と電気的に連通する時、一般には信号線の一端に結合する信号プラグを利用し、該電子装置上の相互に対応し組合せ接続するコンセント内に挿入接続し、さらに該信号プラグと該コンセントの電気的連接を経由し、信号線と電子装置間は電気的連通を達成することができる。しかし、信号プラグとコンセント間の規格、型式が異なる時には、信号プラグを転換接続ヘッドに組合せ接続し、さらに該転換接続ヘッドによりコンセント内に挿入接続することが必要で、こうして信号プラグとコンセントの電気的連通を達成することができる。
しかし、公知の転換接続ヘッドと信号プラグ間の組合せ接続方式は、通常は固定式組合せ接続の形態であるため、転換接続ヘッドが不要な状況では転換接続ヘッドを取外す必要がある。よって、使用時には再び組合せなければならないため、信号プラグと転換接続ヘッドの実際の使用時に、操作使用における不便を免れることはできない。
特許文献１（或いは特許文献２）では、「可動式転換プラグ」を掲示する。該構造は考案人が申請した特許であるが、それは上記の欠点を備えている。
このため、本考案人は上記欠点を改善すべく、研究を続け学理を運用し、理に適い、しかも上記欠点を効果的に改善可能な本考案を実現した。
【特許文献１】中華民国特許証書Ｍ２９２８００号
【特許文献２】米国特許出願１１／１０９９７７号
【考案の開示】
【考案が解決しようとする課題】
【０００３】
本考案の課題は複合式マルチ型簡易転換プラグを提供し、これによりプラグを使用しない時には、スライド移動させ、しかも様々な方向へと回転移動させることができる。こうして単独でプラグを使用可能で、転換接続ヘッドを取外す必要はなく、よって使用上の利便性を提供することができる。
また本考案の課題は、複合式マルチ型簡易転換プラグを提供し、これにより絶縁ハウジングに第一及び第二挿入接続部品を設置し、転換接続ヘッドを形成し、それは重複組合せ接続し、マルチ型転換プラグに転換可能で、異なる規格、型式のコンセントへの対応を提供することができ、多様な変化を提供し、実際の使用ニーズに適合させることができる。
【課題を解決するための手段】
【０００４】
上記課題を解決するため、本考案は下記の複合式マルチ型簡易転換プラグ及びそれを備える転換接続ヘッドを提供する。
それは主に複合式マルチ型簡易転換プラグを提供し、絶縁ハウジング、第一及び第二挿入接続部品、プラグを含み、該絶縁ハウジングは２本の側面アームを備え、しかも第一可動接続部を設置し、該第一及び第二挿入接続部品は該絶縁ハウジング中にそれぞれ相対し結合し、しかも相互に電気的に連通し、該プラグは可動状態で該絶縁ハウジングと組合せ接続し、しかも前端には該第二挿入接続部品と相互に対応接続する第三挿入接続部品を設置し、該信号プラグ側縁は内側に向かいスライド移動槽を陥没形成し、該第一可動接続部に対応し、該絶縁ハウジング側縁にはさらに内側に向かいスライド槽を陥没設置する複合式マルチ型簡易転換プラグ及びそれを備える転換接続ヘッドを提供する。
【考案の効果】
【０００５】
上記のように、本考案は第一可動接続部とスライド移動槽間のスライド移動対応機能と効果により、プラグを使用しない時には、２本の側面アーム間においてスライド移動させ、しかも様々な方向へと回転移動させることができる。これにより、単独でプラグを使用可能で、転換接続ヘッドを取外す必要がなくなるため使用上の利便性を提供することができる。
【考案を実施するための最良の形態】
【０００６】
本考案の特徴及び技術内容を説明するため、以下に本考案の詳細説明と図を用いる。図は参考と説明用に過ぎず、本考案に制限を加えるものではない。
図１〜図６に示すように、本考案が提供する複合式マルチ型転換プラグは絶縁ハウジング１、第一挿入接続部品２及び第二挿入接続部品３を含む。
該絶縁ハウジング１はプラスチック等の絶縁材料により製造し、それは主体部１１、及びそれぞれ該主体部１１に連接する２本の側面アーム１２を形成する。しかも該２本の側面アーム１２内縁面にはそれぞれ第一可動接続部１３を形成し、それは凸柱である。
該２本の側面アーム１２は固定式で、該主体部１１よりそれぞれ２本の側面アーム１２を延伸形成し一体成型する(図６参照)。或いは、該２本の側面アーム１２は転動可能な状態で可動柱等の方式を利用し、それぞれ該主体部１１両側縁に可動接続結合し、こうして該２本の側面アーム１２は転動の機能を備える。
【０００７】
該第一挿入接続部品２は該絶縁ハウジング１の主体部１１の前端位置に結合し、該第二挿入接続部品３と該第一挿入接続部品２は該主体部１１内に相対的に結合可能で、しかも該第一及び第二挿入接続部品２、３相互間は電気的に連通する。該第一及び第二挿入接続部品２、３の間には回路板或いは端子(図示なし)等の技術方式を設置し、該第一及び第二挿入接続部品２、３を電気的に連通させることもできる。
該第一挿入接続部品２はＵＳＢ２．０、Ｍｉｎｉ  ＵＳＢ、ＤＣプラグ、音声情報端子、視覚情報端子、ＩＥＥＥ１３９４、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、或いはポータブル電子製品コネクター（携帯電話端末或いはＰＤＡなど)等のコネクターである。上記組成を経由し、本考案の絶縁ハウジング１は該第一挿入接続部品２及び該第二挿入接続部品３により転換接続ヘッドを形成する。
【０００８】
本考案中にはさらにプラグ４を含み、それは信号プラグである。本考案の第一実施例を示す図１〜図６に示すように、該プラグ４の前端位置にはプラス型ＵＳＢ２．０コネクターなどの第三挿入接続部品４１を設置する。該第二挿入接続部品３は該第三挿入接続部品４１と相互に対応接続するマイナス型ＵＳＢ２．０コネクターである。該第三挿入接続部品４１はＭｉｎｉ  ＵＳＢコネクターとすることもできる（図５及び図６参照）。
該プラグ４の両側縁にはそれぞれ内側に向かいスライド移動槽４２を陥没設置する。該プラグ４は前後に移動し、該絶縁ハウジング１と組合せ接続可能で、スライド移動可能な状態で該２本の側面アーム１２の間に位置する。該スライド移動槽４２は凸柱を呈する第一可動接続部１３とそれぞれ対応するように設置可能で、これにより該プラグ４は移動可能な状態で該絶縁ハウジング１と組合せ接続する。また同時に、該プラグ４の第三挿入接続部品４１は該第二挿入接続部品３内に挿入設置可能であり、こうして電気的接続が達成される。
【０００９】
図３及び図４に示すように、該プラグ４の構造はまた異なる変化を呈することができる。
該スライド移動槽４２内にはさらにそれぞれ移動可能なスライド移動ブロック４３を設置可能で、その表面には該第一可動接続部１３と相互に対応して可動接続できる第二可動接続部４４を設置する。該第一及び第二可動接続部１３、４４はそれぞれ相互に対応する凸柱、円孔等の互換的な組合せである。これにより、該スライド移動ブロック４３を該スライド移動槽４２内において前後にスライド移動させ、上記機能と効果を達成することができる。
この他、該スライド移動槽４２内にはさらに弾性部品４５を収容可能で、その両端はそれぞれ該スライド移動ブロック４３片側及び該スライド移動槽４２壁面に接触し押す。これにより該スライド移動ブロック４３は弾力性を備えた前後移動を行い、同時に、該第三挿入接続部品４１は該第二挿入接続部品３と弾力的に対応接続する。該弾性部品４５はバネ或いは弾片である。該スライド移動ブロック４３と該弾片は一体成型の方式を使用可能で、該スライド移動ブロック４３片側から延伸し弾片を湾折して形成する。
【００１０】
次に図６に示すように、該プラグ４の構造も異なる変化を加えることができる。該プラグ４後端にはさらに第四挿入接続部品４６を増設し、それは該第一挿入接続部品２に類似し、しかも該第三挿入接続部品４１とは異なる規格、型式のコネクターである。
図７及び図８に示すように、本考案プラグ４’の第二実施例の第一実施例との差異は、該プラグ４’がＲＪ−４５（ネットワーク線プラグ）である点である。該第二挿入接続部品３はＲＪ−４５と相互に対応接続するコンセント型コネクターで、該プラグ４’の両側縁にもスライド移動槽４２’を形成し、上記機能と効果を達成する。該第一挿入接続部品２はＵＳＢ２．０等のコネクターとすることができる。この他、さらに上記スライド移動ブロックと弾性部品（図示なし）を収容設置し、これにより上記機能と効果を達成する。
内、図８に示すように、該プラグ４’後端には射出成型等の技術方式を利用して封鎖部品４７を形成し、上記スライド移動槽４２’等の部品はまた該封鎖部品４７両側縁に設置可能であり、上記機能と効果を達成する。
【００１１】
図１に対応し、図９及び図１０に示すように、本考案のプラグ４を該絶縁ハウジング１に組合せて接続し、該プラグ４を使用しない状態である時には、該第一可動接続部１３と該スライド移動槽４２間のスライド移動の対応により、該プラグ４を外へと引き動かす。これにより該第三挿入接続部品４１は該第二挿入接続部品３を離れ、さらに該第一可動接続部１３の機能により、該プラグ４を該２本の側面アーム１２間においてスライド移動させることができ、しかも同時に異なる方向へと回動させることができる。これにより該プラグ４の機能と効果を単独で使用可能となり、取り外して使用する必要がなく、実際使用の利便性を提供することができる。さらに、該側面アーム１２はさらに転動の機能を提供し、該プラグ４の転動方向を増加することができる。
【００１２】
図１１に示すように、本考案の絶縁ハウジング１の主体部１１両側縁にはさらに内側に向かいスライド槽１４を陥没設置することができる。本実施例中では、該絶縁ハウジング１、該第一及び第二挿入接続部品２、３は第一組転換接続ヘッドで、その前端位置にはさらに相互に対応する第二組転換接続ヘッドを組合せ接続することができる。
該第二組転換接続ヘッドはまた絶縁ハウジング１’、第一及び第二挿入接続部品２’、３’を備える。該絶縁ハウジング１’は主体部１１’、２本の側面アーム１２’及び第一可動接続部１３’を備え、しかも該主体部１１’はスライド槽１４’を備える。
これにより、該第二組の２本の側面アーム１２’の第一可動接続部１３’は該第一組のスライド槽１４内に収容設置され、こうして該第二組の絶縁ハウジング１’はスライド移動し第一組の絶縁ハウジング１中に組合せて接続される。
さらに、該第二組の第二挿入接続部品３’は該第一組の第一挿入接続部品２と相互に対応し組合せ接続するコネクター（音声情報端子と音声情報端子コンセントなど）で、該第二組の第一挿入接続部品２’は別種規格、型式のコネクター（ＨＤＭＩなど）である。これにより、本考案の第一組転換接続ヘッドは第二組転換接続ヘッドを経由し、別種の異なる規格、型式のコネクターに転換され、異なる規格、型式等のコンセントに対応することができる。上記のように、使用者はさらに第二、三、四組等の転換接続ヘッドを重複組合せ接続し、本考案のプラグ４はこの組合せ接続方式を通して、マルチ型転換プラグに転換され、異なるコンセントに対応可能となる。
【００１３】
本考案プラグ４ａの第三実施例である図１２〜図１４に示すように、本実施例の前記実施例との差異は、該プラグ４ａが電源プラグである点である。その前端の第三挿入接続部品４１ａは数本の導電ピンで、二極或いは三極の各種型式、規格の導電ピンである。該プラグ４ａ後端には電源線４８ａを電気的に連接し、しかも該絶縁ハウジング１ａに設置する第二挿入接続部品３ａは該第三挿入接続部品４１ａが相互に対応接続するコンセントである。
さらに、該絶縁ハウジング１ａの側面アーム１２ａは前記の実施例同様、固定式或いは転動式で該主体部１１ａに結合する。該プラグ４ａの両側にはスライド移動槽４２ａを形成し、該スライド移動槽４２ａ内にはスライド移動ブロック及び弾性部品（図示なし）を収容設置し、これにより同様の機能と効果を達成することができる。
この他、該絶縁ハウジング１ａに設置する第一挿入接続部品２ａは第三挿入接続部品４１ａと相対する、米国規格（ＵＳ）、ＥＵ、英国（ＵＫ）或いはオーストラリア（ＡＵ）等の世界各国の異なる型式、規格の導電ピンである。
【００１４】
図１３に示すように、該プラグ４ａの構造はさらに異なる変化を加えることができ、その後端にはさらに第四挿入接続部品４６ａを形成する。図中では別種の異なる規格、型式のコンセントを示すが、当然別種の異なる規格、型式の導電ピン（図示なし）とすることもできる。これにより、該プラグ４ａはさらに転換接続ヘッドの機能と効果を形成し、別規格、型式の電源型のプラグ４ａ’を挿入接続することができる。
図１４に示すように、該絶縁ハウジング１ａ及び該プラグ４ａの構造はさらに異なる変化を加えることができ、前記実施例との差異は、該絶縁ハウジング１ａの側面アーム１２ａにはさらに別のスライド移動槽１５ａを形成する点である。該プラグ４ａの側縁にはさらに別の第一可動接続部４９ａを形成し、それは凸柱である。これにより、該凸柱を呈するプラグ４ａの第一可動接続部４９ａは、該絶縁ハウジング１ａのスライド移動槽１５ａ内においてスライド移動及び転動し組合せ接続し、上記と相同の目的を達成する。当然、該絶縁ハウジング１ａのスライド移動槽１５ａ内にも上記スライド移動ブロック、第二可動接続部及び弾性部品等（図示なし）の構成部品を設置可能で、こうして上記と相同の機能と効果を達成することができる。
【００１５】
図１５に示すように、該絶縁ハウジング１ａの主体部１１ａ両側にはスライド槽１４ａを形成し、第一組転換接続ヘッドを形成する。これにより前記同様の実施例を達成し、さらに該第二組由絶縁ハウジング１ａ’、該第一及び第二挿入接続部品２ａ’、３ａ’が形成する転換接続ヘッドを組合せ接続する。該第二組の絶縁ハウジング１ａ’は前記実施例の主体部１１ａ’、２本の側面アーム１２ａ’及び第一可動接続部１３ａ’を備え、しかも該主体部１１ａ’にはスライド槽１４ａ’を設置し、これにより前記同様の実施例を達成する。これにより該第二組の絶縁ハウジング１ａ’は該第一組の絶縁ハウジング１ａ中にスライド可動状態で組合せ接続し、さらに異なる規格、型式のコンセントに対応可能となる。これにより、使用者は第二、三、四組等の転換接続ヘッドを重複組合せ接続し、異なるコンセントに対応させることができる。
【００１６】
図１４及び図１６に示すように、上記絶縁ハウジング１ａのスライド移動槽１５ａは貫通式を呈し、２本の側面アーム１２ａを貫通し、また凹入式を呈し該２本の側面アーム１２ａにおいて窪み設置することができ、共に上記機能と効果を達成することができる。
図１７に示すように、後端には第四挿入接続部品４６ａを備えるプラグ４ａの底端の表面にはさらに蓄電装置５を結合することができる。該第三挿入接続部品４１ａ及び該第四挿入接続部品４６ａは相互に該蓄電装置５と電気的に連結する。該蓄電装置５内部には回路板５１、及び該回路板５１上に設置する充電ＩＣ、電気抵抗及びキャパシター等の電子部品を備える。これにより該第三挿入接続部品４１ａ及び該第四挿入接続部品４６ａと電気的に連結する。
該第三挿入接続部品４１ａが該第二挿入接続部品３ａ中に挿入接続する時、該絶縁ハウジング１ａの第一挿入接続部品２ａはコンセント中に挿入設置する。該コンセントの電源導電により、該蓄電装置５は蓄電の機能と効果を生じる。
該第四挿入接続部品４６ａが別のプラグ（図示なし）に挿入接続する時、電圧は別のプラグに流れ、もしコンセントの電圧値が不安定定で低下する状況が起きれば、該蓄電装置５の機能と効果により電圧を供給し、別のプラグの電圧不足を防ぎ、こうして電子装置の損壊を回避することができる。
【００１７】
図１８に示すように、前記のプラグ４ａの外型及び構造はさらに異なる変化を加えることができる。この実施例中では、該プラグ４ａの側端縁にはさらに内側に向かい陥没部４９１ａを陥没形成し、該第一可動接続部４９ａは該陥没部４９１ａ中に形成し、該第一可動接続部４９ａの長さを適当に長くし、これにより上記同様の機能と効果を達成し、該プラグ４ａは移動可能状態で該絶縁ハウジング１中に組合せ接続する。
図１９に示すように、前記はＲＪ−４５のプラグ４’で、それは前記の実施例と同様の実施方式を備える。該プラグ４’の両側縁には第一可動接続部４９を形成し、該絶縁ハウジング１の２本の側面アーム１２もまたスライド移動槽１５を形成し、上記機能と効果を達成する。該プラグ４’の後端にはさらに封鎖部品４７を形成し、該第一可動接続部４９はまた該封鎖部品４７の両側縁に設置する。
【００１８】
図２０に示すように、本考案の絶縁ハウジング１の構造はさらに異なる変化を加えることができる。前記の実施例との差異は、該主体部１１はさらに相互に分離及び組合せ接続可能な前主体１１１及び後主体１１２を設置する点である。該第一挿入接続部品２は該前主体１１１に設置し、該第二挿入接続部品３は該後主体１１２に設置する。しかも伝送線Ａの連接方式を利用し、該第一及び第二挿入接続部品２、３を電気的に連接し、電気的接続を達成する。しかも該信号線Ａと該第一挿入接続部品２の間にはホットスワッピング電性結合を使用可能で、該２本の側面アーム１２は該後主体１１２の両側縁に結合する。該前、後主体１１１、１１２の組合せ接続方式は係合接続、可動接続等の技術方式を利用して結合し、相互に分離及び組合せ接続の目的を達成する。
これにより、該前、後主体１１１及び１１２を通して相互に分離及び組合せ接続が可能となり、しかも該伝送線Ａと該第一挿入接続部品２のホットスワッピング電性結合に有利となり、使用者は簡単に第一挿入接続部品２の型式を交換し、該前、後主体１１１及び１１２を相互に分離可能で、該第一挿入接続部品２の使用時の角度を適当に調整することができる。
【００１９】
本考案の長所及び機能を以下に整理する。
一、  本考案の絶縁ハウジングは第一及び第二挿入接続部品を設置し、転換接続ヘッドの機能と効果を形成し、プラグ（信号プラグ、電源プラグなど）を絶縁ハウジングに組合せ接続すれば、第二挿入接続部品と電気的接続を達成することができる。第一可動接続部とスライド移動槽間のスライド移動対応機能と効果により、プラグを使用しない時には、２本の側面アーム間においてスライド移動させ、しかも様々な方向へと回転移動させることができ、これにより単独でプラグを使用可能で、転換接続ヘッドを取外す必要がなく、使用上の利便性を提供することができる。
二、  本考案のスライド移動槽内にはさらにスライド移動ブロック及び弾性部品を設置し、これによりプラグは第二挿入接続部品と弾力性を持って対応接続し、さらに使用上の利便性を提供することができる。
三、  本考案の転換接続ヘッドは重複した組合せ接続が可能で、マルチ型転換プラグに転換し、異なる規格、型式のコンセントへの対応を提供し、さらに多様な変化を提供可能で、実際の使用ニーズに応えることができる。しかも重複組合せで接続する転換接続ヘッドは、スライド槽の機能と効果により、使用過程において、簡単に必要な転換接続ヘッドを選択し、相対するコンセントに対応させて使用可能で、他の転換接続ヘッドを取外す必要はない。
本考案は具体的な実施例を上記の通り開示したが、これらは最適な実施例に過ぎず、本考案に限定するものではない。本考案の説明と図の内容を運用した同等な効果の変化もすべて本考案の実用新案請求の範囲に含まれる。
【図面の簡単な説明】
【００２０】
【図１】本考案の第一立体分解指示図である。
【図２】本考案の立体組合せ指示図である。
【図３】本考案のプラグ連接スライド移動ブロック及び弾性部品の立体分解指示図である。
【図４】本考案のプラグ連接スライド移動ブロック及び弾性部品の別種の立体分解指示図である。
【図５】本考案の第二立体分解指示図である。
【図６】本考案の第三立体分解指示図である。
【図７】本考案の第四立体分解指示図である。
【図８】本考案の第五立体分解指示図である。
【図９】本考案の組合せ状態指示図である。
【図１０】本考案の別種の組合せ状態指示図である。
【図１１】本考案の重複組合せ接続状態指示図である。
【図１２】本考案の第六立体分解指示図である。
【図１３】本考案の第七立体分解指示図である。
【図１４】本考案のさらに別種の組合せ状態指示図である。
【図１５】本考案の別種の重複組合せの接続状態の指示図である。
【図１６】本考案の第八立体分解指示図である。
【図１７】本考案のプラグ連接蓄電装置の指示図である。
【図１８】本考案の第九立体分解指示図である。
【図１９】本考案の第十立体分解指示図である。
【図２０】本考案の第十一立体分解指示図である。
【符号の説明】
【００２１】
１、１’、１ａ、１ａ’  絶縁ハウジング
１１、１１’、１１ａ、１１ａ’  主体部
１１１  前主体
１１２  後主体
１２、１２’、１２ａ、１２ａ’  側面アーム
１３、１３’、１３ａ、１３ａ’  第一可動接続部
１４、１４’、１４ａ、１４ａ’  スライド槽
１５、１５ａ  スライド移動槽
２、２’、２ａ、２ａ’  第一挿入接続部品
３、３’、３ａ、３ａ’  第二挿入接続部品
Ａ  信号線
４、４’、４ａ、４ａ’  プラグ
４１、４１ａ  第三挿入接続部品
４２、４２’、４２ａ  スライド移動槽
４３  スライド移動ブロック
４４  第二可動接続部
４５  弾性部品
４６、４６ａ  第四挿入接続部品
４７  封鎖部品
４８ａ  電源線
４９、４９ａ  第一可動接続部
４９１ａ  陥没部
５  蓄電装置
５１  回路板
【図１】
0003134069.tif 000003
【図２】
0003134069.tif 000004
【図３】
0003134069.tif 000005
【図４】
0003134069.tif 000006
【図５】
0003134069.tif 000007
【図６】
0003134069.tif 000008
【図７】
0003134069.tif 000009
【図８】
0003134069.tif 000010
【図９】
0003134069.tif 000011
【図１０】
0003134069.tif 000012
【図１１】
0003134069.tif 000013
【図１２】
0003134069.tif 000014
【図１３】
0003134069.tif 000015
【図１４】
0003134069.tif 000016
【図１５】
0003134069.tif 000017
【図１６】
0003134069.tif 000018
【図１７】
0003134069.tif 000019
【図１８】
0003134069.tif 000020
【図１９】
0003134069.tif 000021
【図２０】
0003134069.tif 000022